(57)【要約】【課題】表レンズと裏レンズの間に偏光フイルムを挟み込んで成る偏光レンズを嵌めるメガネフレームのリムであって、外周のカット面から亀裂が入ったり、ヒビが生じることのないリムの提供。【解決手段】リム５の内周面に柔らかい樹脂を塗布してシリコン樹脂層７を形成し、リム５に偏光レンズ１が嵌った場合には、柔らかいシリコン樹脂層７が適度に圧縮変形して偏光レンズ１を保護することが出来る。【選択図】        図３
2004279887.tif 000002
【特許請求の範囲】
【請求項１】
偏光レンズが嵌るメガネフレームのリムにおいて、該リムの内周面に柔らかい樹脂を塗布して樹脂層を形成したことを特徴とする偏光レンズ用メガネフレームのリム。
【請求項２】
上記樹脂としてシリコン樹脂を用いた請求項１記載の偏光レンズ用メガネフレームのリム。
【請求項３】
偏光レンズをリムに嵌めたメガネにおいて、該リムの内周面にはシリコンなどの柔らかい樹脂を塗布して樹脂層を形成し、該樹脂層を介在して偏光レンズがリムに嵌ると共に、リムと偏光レンズ間には隙間の発生を無くしたことを特徴とする偏光メガネ。
【発明の詳細な説明】
【０００１】
【発明の属する技術分野】
本発明は偏光レンズに無理な応力が作用しないように嵌めることが出来るメガネフレームのリム及び偏光メガネに関するものである。
【０００２】
【従来の技術】
図４は従来の一般的なメガネを示している。該メガネはリム（イ）、（イ）が連結部材（ロ）にて連結され、リム外側にはヨロイ（ハ）、（ハ）がロウ付けにて固定され、そしてヨロイ先端には蝶番などの継手（ニ）を介してツル（ホ）が折畳み出来るように取付けられている。リム（イ）の内側であって連結部材（ロ）の下側には鼻当てパット（ヘ）が取付けられ、上記リム（イ）には適正な度数のレンズ（ト）が嵌まっている。
【０００３】
メガネにはその用途によって凹レンズが嵌まる近眼用メガネと凸レンズが嵌まる老眼鏡があり、リム（イ）の外側であってヨロイ（ハ）の内側にはブローチ（リムロック）が備わっている。レンズ（ト）をリム（イ）に嵌める際にはリムロックのネジを弛めてリム周長を拡大して行われ、嵌合したところでリムロックをネジ締めしてレンズ（ト）が外れないようにしている。
【０００４】
ところで、レンズ（ト）はリム（イ）の形状、寸法に合わせてその外周が切削加工されるが、金属製のリムは所定断面形状のリム線を曲げ成形される為に、リム線の材質のバラツキにより、常に同一形状のリムを作ることが出来ない。従って、該リムにレンズを嵌めてリムロックをネジ締めするならば、形状及び寸法の誤差に基づきレンズ外周には均等な応力が作用せず、局部的な集中応力が発生する。その結果、レンズの欠けやレンズ割れが発生する。
【０００５】
そこで、リムとレンズ間にクッション材を介在したメガネフレームが知られている。例えば、特開平７−２８１１３３号に係る「眼鏡フレームのレンズ枠」は、レンズの外周面に環状溝を設けてレンズ枠に嵌めることが出来、レンズとレンズ枠が接する部分にクッション材を設けている。該クッション材はレンズ及びリムの断面形状に合わせて製作され、これをリム内周又はレンズ外周に取付けた状態でリムにレンズを嵌めなくてはならず、その作業性は面倒である。一方、クッション材がリムとレンズの隙間から見えて外観が損なわれることもある。
【０００６】
一方、特開昭６２−２８０７１６号に係る「眼鏡枠にレンズを取付ける方法」は、レンズ外周及びリム（レンズ枠）の内周にコンタクト型接着剤を塗布し、このリムにレンズを嵌めることが出来、上記コンタクト型接着剤は弾性層を形成して嵌ったレンズを保護することが出来ると記載されている。しかし、上記コンタクト型接着剤はあくまでも小売店にて使用されるもので瞬時に硬化することが出来る接着剤であり、弾性層としての効果は低い。
【０００７】
従って、リムのリムロックをネジ締めすることで嵌ったレンズが締付けられるが、例えば貼り合わせ構造と成っている偏光レンズのように、外周カット面が弱いレンズでは、コンタクト型接着剤の弾性層としての効果を期待することは出来ない。そして、弾性層はレンズ外周になじむことが出来ず、該レンズ外周とリム間には僅かな隙間が残される。
【０００８】
【発明が解決しようとする課題】
このように、リムに嵌るレンズを保護する為のクッション材やコンタクト型接着剤には上記のごとき問題がある。本発明が解決しようとする課題はこれら問題点であって、偏光レンズのようにカット面が非常に弱いレンズであっても、保護することが出来ると共に、作業性の向上を図った偏光レンズ用メガネフレームのリム及び偏光メガネを提供する。
【０００９】
【課題を解決する為の手段】
本発明のメガネフレームのリムは偏光レンズを対象としている。偏光レンズは極薄い偏光フイルムを２枚のガラスにて挟み込んだサンドウィッチ構造であり、外周カット面は弱く、特に衝撃の作用に対してヒビや割れを発生する。リムの形状とレンズ形状が完全に一致することはなく、多少を問わず寸法及び形状の誤差があり、レンズに嵌めてリムロックを締め付けた際に局部的な集中応力が発生する。
【００１０】
そこで、本発明ではリムの内周にシリコン等から成る非常に柔らかい樹脂を塗布して樹脂層を形成している。該樹脂層はゴムのように弾性変形可能であって、リムとレンズ外周の形状及び寸法誤差を吸収して、集中応力を緩和することが出来る。以下、本発明に係る実施例を図面に基づいて詳細に説明する。
【００１１】
【実施例】
図１は偏光レンズ１の展開図であり、表レンズ２、裏レンズ３、及び偏光フイルム４から成っている。表レンズ２及び裏レンズ３の厚さは約１ｍｍで、偏光フイルム４は約３０ミクロンの極薄いフイルムである。そして、これら表レンズ２と裏レンズ３にて薄い偏光フイルム４を挟み込んだサンドウィッチ構造にて構成される。具体的な製造方法は限定しないが、表レンズ２と裏レンズ３の間に偏光フイルム４を挟んで貼り合わせする場合、又は所定の型に偏光フイルム４をセットして樹脂を注入することで製造することが出来る。
【００１２】
従って、表レンズ２と裏レンズ３を合わせた約２ｍｍの一般的な成形レンズに比較すればその強度は弱く、外周のカット面から亀裂が発生し、又ヒビが発生することが多い。特に衝撃や集中応力に対しての強度は非常に低い。そこで、該偏光レンズ１が嵌るリムに対して本発明は次のような工夫をしている。
【００１３】
図２は本発明のリム断面を示している実施例であり、リング状をしたリム５の内周面には凹溝６が全周にわたって形成され、この凹溝面にはシリコン樹脂層７が設けられている。該シリコン樹脂層７は液状のシリコン樹脂を塗布して固化したものであり、しかし固化しても硬くはならず弾性変形に優れた弾性層となる。ここで、リム内周面に形成される凹溝６は一般に両傾斜面にて構成されているが、特に限定するものではない。
【００１４】
図３はリム５に偏光レンズ１が嵌った状態の断面を示しているが、リム５と偏光レンズ１との間にはシリコン樹脂層７が介在している。そして、該シリコン樹脂層７は柔らかい為に偏光レンズ１の外周に密着し、すなわちリムロックのネジを締め付けるならば偏光レンズ１の外周になじむように弾性変形して隙間を残すことはない。
【００１５】
前記特開昭６２−２８０７１６号に係る「眼鏡枠にレンズを取付ける方法」に記載しているコンタクト型接着剤は弾性層を形成するが、該弾性層は非常に硬くてレンズ外周になじむものではない。従って、リムとレンズ外周との間には形状及び寸法誤差に基づく僅かな隙間が介在するケースがある。これに対して、本発明のシリコン樹脂層７は、該隙間の発生を無くし、集中応力を発生させることなく偏光レンズ１を嵌めることが出来る。
【００１６】
以上述べたように、本発明のメガネフレームのリムはその内周面にシリコン樹脂などの柔らかい樹脂層を設けたものであり、次のような効果を得ることが出来る。
【００１７】
【発明の効果】
本発明に係るリムはその内周面に柔らかいシリコンなどの樹脂層を有している為に、該リムに嵌るレンズに無理な集中応力を与えることはなく、レンズ欠け及びレンズ割れを防止することが出来る。該リムに嵌るレンズは偏光フイルムを挟み込んだサンドウィッチ構造であり、外周のカット面が非常に弱いが、柔らかい樹脂層に守られてレンズ外周にヒビが入ったり、欠けたりすることはない。
【００１８】
そして、柔らかい樹脂層はレンズ外周とリム内周面との間に形状及び寸法誤差があっても、適度に圧縮変形することで集中応力を発生することなく偏光レンズ外周になじんで隙間を残さない。従って、メガネが水に漬かって濡れてもリムと偏光レンズ間に水分が浸入することはなく、勿論、偏光レンズの貼り合せ面から侵入する水分による偏光レンズの剥離を防止することが出来る。又、貼り合せ面から侵入する水分による偏光フイルムの変色を防ぐことが出来る。
【図面の簡単な説明】
【図１】偏光レンズの展開図。
【図２】本発明に係るリム断面。
【図３】本発明のリムに偏光レンズが嵌った断面図。
【図４】従来の一般的なメガネ。
【符号の説明】
１  偏光レンズ
２  表レンズ
３  裏レンズ
４  偏光フイルム
５  リム
６  凹溝
７  シリコン樹脂層
【図１】
2004279887.tif 000003
【図２】
2004279887.tif 000004
【図３】
2004279887.tif 000005
【図４】
2004279887.tif 000006